(57)【特許請求の範囲】
【請求項１】
物体側から像側へ順に配置された、正の屈折力の第１レンズ群、負の屈折力の第２レンズ群、正の屈折力の第３レンズ群、負の屈折力の第４レンズ群、１つ以上のレンズ群を有し全体として正の屈折力を有する後群からなり、ズーミングに際して隣り合うレンズ群の間隔が変化するズームレンズであって、
前記第４レンズ群及び前記後群に含まれるレンズ群のうち１つのレンズ群は、正の屈折力の樹脂レンズと負の屈折力の樹脂レンズを含み、
前記正の屈折力の樹脂レンズの材料の屈折率をＮｄｋｐ、アッベ数をνｄｋｐ、前記負の屈折力の樹脂レンズの材料の屈折率をＮｄｋｎ、アッベ数をνｄｋｎ、前記第２レンズ群の焦点距離をｆ２、望遠端における全系の焦点距離をｆｔ、前記正の屈折力の樹脂レンズの焦点距離をｆｐ、前記負の屈折力の樹脂レンズの焦点距離をｆｎとするとき、
５０．０＜νｄｋｐ＜７０．０
１５．０＜νｄｋｎ＜３０．０
１．５００＜Ｎｄｋｐ＜１．７００
１．５００＜Ｎｄｋｎ＜１．７００
−０．０４８≦ｆ２／ｆｔ＜−０．０１０
０．２８≦｜ｆｐ／ｆｎ｜＜１０．０
なる条件式を満足することを特徴とするズームレンズ。
【請求項２】
前記正の屈折力の樹脂レンズの材料の部分分散比をθｇＦｋｐ、前記負の屈折力の樹脂レンズの材料の部分分散比をθｇＦｋｎとするとき、
θｇＦｋｐ−（−１．６６７×１０−７×νｄｋｐ３＋５．２８０×１０−５×νｄｋｐ２−５．６２０×１０−３×νｄｋｐ＋０．７３７）＞０
θｇＦｋｎ−（−１．６６７×１０−７×νｄｋｎ３＋５．２８０×１０−５×νｄｋｎ２−５．６２０×１０−３×νｄｋｎ＋０．７３７）＞０
なる条件式を満足することを特徴とする請求項１に記載のズームレンズ。
【請求項３】
前記第１レンズ群の焦点距離をｆ１、広角端における全系の焦点距離をｆｗとするとき、
８．０＜ｆ１／ｆｗ＜５０．０
なる条件式を満足することを特徴とする請求項１または２に記載のズームレンズ。
【請求項４】
広角端に比べて望遠端において物体側に位置するように、ズーミングに際して前記第１レンズ群が移動することを特徴とする請求項１乃至３のいずれか１項に記載のズームレンズ。
【請求項５】
前記第１レンズ群は、物体側から像側へ順に、負レンズ、正レンズ、正レンズからなることを特徴とする請求項１乃至４のいずれか１項に記載のズームレンズ。
【請求項６】
前記正の屈折力の樹脂レンズと前記負の屈折力の樹脂レンズは、前記後群を構成するレンズ群に含まれ、
前記第４レンズ群は負の屈折力の樹脂レンズを有し、該負の屈折力の樹脂レンズの材料のアッベ数をνｄ４ｎ、屈折率をＮｄ４ｎとするとき、
５０．０＜νｄ４ｎ＜７０．０
１．５００＜Ｎｄ４ｎ＜１．７００
なる条件式を満足することを特徴とする請求項１乃至５のいずれか１項に記載のズームレンズ。
【請求項７】
前記後群は、正の屈折力の第５レンズ群からなることを特徴とする請求項１乃至６のいずれか１項に記載のズームレンズ。
【請求項８】
前記後群は、物体側から像側へ順に配置された、正の屈折力の第５レンズ群、正の屈折力の第６レンズ群から構成されることを特徴とする請求項１乃至６のいずれか１項に記載のズームレンズ。
【請求項９】
前記第４レンズ群の焦点距離をｆ４、前記第５レンズ群の焦点距離をｆ５とするとき、
−３．００＜ｆ４／ｆ５＜−０．１０
なる条件式を満足することを特徴とする請求項７または８に記載のズームレンズ。
【請求項１０】
請求項１乃至９のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、レンズ全長が短く、高ズーム比であることが求められている。また、レンズの軽量化やコストの削減を図ることが要求されている。
【０００３】
レンズ全長が短く、高ズーム比のズームレンズとして、物体側から像側へ順に、正の屈折力の第１レンズ群、負の屈折力の第２レンズ群、正の屈折力の第３レンズ群、負の屈折力の第４レンズ群を有するポジティブリード型のズームレンズが知られている。また、レンズの軽量化やコストの削減を図るために、ガラス以外の物質、例えば、樹脂材料を用いた樹脂レンズを含むズームレンズが知られている。
【０００４】
樹脂材料を用いたポジティブリード型のズームレンズとして、特許文献１及び２に記載のズームレンズでは、第１レンズ群に正の屈折力を有する樹脂レンズを用い、さらに、第３レンズ群に負の屈折力を有する樹脂レンズを用いている。
【先行技術文献】
【特許文献】
【０００５】
【特許文献１】特開２０１２−２２０８７２号公報
【特許文献２】特開２０１２−２２６２２４号公報
【発明の概要】
【発明が解決しようとする課題】
【０００６】
一般に、樹脂レンズはガラスレンズに比べて、温度変化や製造誤差による屈折率の変化が大きく、膨張や収縮による形状変化の影響も大きい。これにより、温度変化や製造誤差によるピントズレや球面収差のズレ等が大きくなり、光学性能の低下を招きやすい。比較的少ない枚数のレンズより構成されたポジティブリード型のズームレンズでは、各レンズ面の屈折力が強いため、全ズーム領域において、温度変化による光学性能の低下が生じやすい。
【０００７】
本発明は、軽量かつ高ズーム比で、全ズーム領域において高い光学性能を有するズームレンズ及びそれを有する撮像装置を提供することを目的とする。
【課題を解決するための手段】
【０００８】
物体側から像側へ順に配置された、正の屈折力の第１レンズ群、負の屈折力の第２レンズ群、正の屈折力の第３レンズ群、負の屈折力の第４レンズ群、１つ以上のレンズ群を有し全体として正の屈折力を有する後群からなり、ズーミングに際して隣り合うレンズ群の間隔が変化するズームレンズであって、前記第４レンズ群及び前記後群に含まれるレンズ群のうち１つのレンズ群は、正の屈折力の樹脂レンズと負の屈折力の樹脂レンズを含み、前記正の屈折力の樹脂レンズの材料の屈折率をＮｄｋｐ、アッベ数をνｄｋｐ、前記負の屈折力の樹脂レンズの材料の屈折率をＮｄｋｎ、アッベ数をνｄｋｎ、前記第２レンズ群の焦点距離をｆ２、望遠端における全系の焦点距離をｆｔ、前記正の屈折力の樹脂レンズの焦点距離をｆｐ、前記負の屈折力の樹脂レンズの焦点距離をｆｎとするとき、
５０．０＜νｄｋｐ＜７０．０
１５．０＜νｄｋｎ＜３０．０
１．５００＜Ｎｄｋｐ＜１．７００
１．５００＜Ｎｄｋｎ＜１．７００
−０．０４８≦ｆ２／ｆｔ＜−０．０１０
０．２８≦｜ｆｐ／ｆｎ｜＜１０．０
なる条件式を満足することを特徴とする。
【発明の効果】
【０００９】
本発明によれば、軽量かつ高ズーム比で、全ズーム領域において高い光学性能を有するズームレンズが得られる。
【図面の簡単な説明】
【００１０】
【図１】実施例１のズームレンズの広角端におけるレンズ断面図
【図２】（Ａ）、（Ｂ）、（Ｃ）実施例１のズームレンズの広角端、中間のズーム位置、望遠端における収差図
【図３】実施例２のズームレンズの広角端におけるレンズ断面図
【図４】（Ａ）、（Ｂ）、（Ｃ）実施例２のズームレンズの広角端、中間のズーム位置、望遠端における収差図
【図５】実施例３のズームレンズの広角端におけるレンズ断面図
【図６】（Ａ）、（Ｂ）、（Ｃ）実施例３のズームレンズの広角端、中間のズーム位置、望遠端における収差図
【図７】実施例４のズームレンズの広角端におけるレンズ断面図
【図８】（Ａ）、（Ｂ）、（Ｃ）実施例４のズームレンズの広角端、中間のズーム位置、望遠端における収差図
【図９】実施例５のズームレンズの広角端におけるレンズ断面図
【図１０】（Ａ）、（Ｂ）、（Ｃ）実施例５のズームレンズの広角端、中間のズーム位置、望遠端における収差図
【図１１】θｇＦ−νｄ図
【図１２】本発明の撮像装置の要部概略図
【発明を実施するための形態】
【００１１】
以下、本発明のズームレンズ及びそれを有する撮像装置について、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、１以上のレンズ群を含む後群から構成される。ここでレンズ群とは、ズーミングに際して一体的に移動するレンズ要素であって、１枚以上のレンズを有していればよく、必ずしも複数枚のレンズを有していなくてもよい。また、レンズ要素とは、単レンズ、複数のレンズが接合された接合レンズ、球面レンズの表面に樹脂層を積層して形成されるレプリカ非球面レンズなど、一体的に形成されたレンズをいう。
【００１２】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比４３．２４、開口比２．６７〜６．０８程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３７．３０、開口比３．２５〜７．１０程度のズームレンズである。
【００１３】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４２．８１、開口比２．８８〜６．０８程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比４２．９８、開口比３．５８〜６．２８程度のズームレンズである。
【００１４】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４５．１１、開口比２．９８〜６．０８程度のズームレンズである。
【００１５】
図１１は、θｇＦ−νｄ図である。図１２は、本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮影レンズ系である。レンズ断面図において左方が物体側（前方）で、右方が像側（後方）である。またレンズ断面図において、ｉを物体側から像側へのレンズ群の順番とするとＬｉは第ｉレンズ群を示す。
【００１６】
実施例１乃至４のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から成る。実施例１乃至４は５つのレンズ群から成るポジティブリード型の５群ズームレンズであり、後群は、正の屈折力の第５レンズ群Ｌ５から成る。
【００１７】
実施例５のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、正の屈折力の第６レンズ群Ｌ６から成る。実施例５は６つのレンズ群から成るポジティブリード型の６群ズームレンズであり、後群は、正の屈折力の第５レンズ群Ｌ５と正の屈折力の第６レンズ群Ｌ６から成る。
【００１８】
各実施例において、ＳＰは開口絞りである。実施例１、３乃至５のズームレンズでは、開口絞りＳＰは、第２レンズ群Ｌ２と第３レンズ群Ｌ３の間に配置される。広角端から望遠端へのズーミングに際して、開口絞りＳＰは、各レンズ群とは異なる軌跡で移動する。これにより、前玉径の小型化を実現しつつ、広角側における周辺光量の急激な低下を防ぐことができる。
【００１９】
実施例２のズームレンズでは、開口絞りＳＰは、第３レンズ群Ｌ３の内部に配置される。これにより、望遠端における第２レンズ群Ｌ２と第３レンズ群Ｌ３の間隔を短くし、望遠端におけるレンズ全長の短縮化を実現することができる。
【００２０】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２１】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面、ΔＭはメリディオナル像面である。歪曲収差はｄ線について示している。色収差図ではｇ線における色収差を示している。ωは撮像半画角である。
【００２２】
各実施例では、レンズ断面図中の矢印で示すように、広角端から望遠端へのズーミングに際してレンズ群が移動し、隣り合うレンズ群の間隔が変化する。具体的には、各実施例において、広角端から望遠端へのズーミングに際して、第１レンズ群Ｌ１は像側へ凸状の軌跡を描くように移動する。第２レンズ群Ｌ２は、広角端に比べて望遠端において、像側に位置するように移動する。第３レンズ群Ｌ３は、広角端に比べて望遠端において、物体側に位置するように移動する。第４レンズ群Ｌ４は、広角端に比べて望遠端において、物体側に位置するように移動する。
【００２３】
実施例１乃至４のズームレンズにおいて、第５レンズ群Ｌ５は、物体側へ凸状の軌跡を描くように移動する。また、実施例５のズームレンズにおいて、第５レンズ群Ｌ５は、広角端に比べて望遠端において、物体側に位置するように移動し、第６レンズ群Ｌ６は、物体側へ凸状の軌跡を描くように移動する。
【００２４】
各実施例のズームレンズでは、広角端に比べて望遠端において、第１レンズ群Ｌ１及び第３レンズ群Ｌ３が物体側に位置するように移動する。これにより、広角端におけるレンズ全長を短縮し、前玉径の小型化を実現することができる。特に、ズーミングに際して、正の屈折力の第１レンズ群Ｌ１を物体側に移動させることにより、第２レンズ群Ｌ２に比較的大きな変倍作用を与えている。
【００２５】
また、実施例１乃至４のズームレンズでは、第５レンズ群Ｌ５をフォーカスレンズ群としており、実施例５のズームレンズでは、第６レンズ群Ｌ６をフォーカスレンズ群としている。
【００２６】
実施例１乃至４のズームレンズにおいて、望遠端において無限遠物体から近距離物体へフォーカシングを行う場合には、レンズ断面の矢印５ｃに示すように、第５レンズ群Ｌ５を物体側に移動させている。レンズ断面図中の実線５ａと点線５ｂは各々、無限遠物体と近距離物体にフォーカスしているときに、広角端から望遠端へのズーミングに伴う像面変動を補正するための移動軌跡を示している。
【００２７】
実施例５のズームレンズにおいて、望遠端において無限遠物体から近距離物体へフォーカシングを行う場合には、レンズ断面の矢印６ｃに示すように、第６レンズ群Ｌ６を物体側に移動させている。レンズ断面図中の実線６ａと点線６ｂは各々、無限遠物体と近距離物体にフォーカスしているときに、広角端から望遠端へのズーミングに伴う像面変動を補正するための移動軌跡を示している。
【００２８】
ここで、各実施例のズームレンズにおいて、第４レンズ群Ｌ４をフォーカスレンズ群としてもよい。第４レンズ群Ｌ４をフォーカスレンズ群とする場合に、望遠端において無限遠物体から近距離物体へフォーカシングを行うときには、第４レンズ群Ｌ４を像側に移動させる。
【００２９】
また、各実施例において、第３レンズ群Ｌ３の全体または一部を、光軸と垂直方向の成分を持つように移動させることで、像ぶれの補正を行っている。
【００３０】
各実施例において、第３レンズ群Ｌ３よりも像側に配置された第ｋレンズ群Ｌｋ（ｋは４以上の整数）中に、正の屈折力を有する樹脂レンズＬｋｐと負の屈折力を有する樹脂レンズＬｋｎを用いている。これにより、ズームレンズの軽量化を図ると共に、コストの削減を図っている。ここで、樹脂レンズとは樹脂材料を含むレンズを意味する。樹脂レンズは、樹脂材料のみから成るレンズであってもよいし、酸化インジウムスズ（ＩＴＯ：Ｉｎｄｉｕｍ  Ｔｉｎ  Ｏｘｉｄｅ）や酸化チタン（ＴｉＯ２）のようなナノ微粒子を樹脂材料中に分散させたレンズでもよい。
【００３１】
一般に各レンズ群の重量が大きくなると、撮影状態において、レンズの自重により鏡筒が重力方向に偏芯するため、光学性能が低下するおそれがある。ここで、一般的な硝子材料の比重は、２．０以上である。一方で、一般的な樹脂材料の比重は、１．５程度である。ゆえに、ズームレンズ中に樹脂レンズを用いることで、ズームレンズの重量を大幅に小さくすることができる。
【００３２】
一方で、温度変化に対する樹脂材料の線膨張係数は、硝子材料の線膨張係数に対して１０倍程度大きい。そのため、樹脂レンズを用いた場合、温度変化に伴いレンズ形状が大きく変化し、収差が発生しやすい。そこで、１つのレンズ群の中で、正の屈折力を有する樹脂レンズと負の屈折力を有する樹脂レンズを用いて、温度変化による球面収差や像面湾曲等の発生を良好にキャンセルすることにより、光学性能の低下を抑制している。
【００３３】
また、本発明では、正の屈折力を有する樹脂レンズＬｋｐと負の屈折力を有する樹脂レンズＬｋｎを、空気間隔を隔てて配置している。これにより、独立して曲率半径を設定可能なレンズ面が増え、温度変化による収差（球面収差や像面湾曲）の発生を良好にキャンセルさせることができる。温度変化に伴うレンズ形状の変化の度合いは、レンズの材料に応じて異なる。それゆえ、２枚の樹脂レンズを接合させると、光学性能の低下や接合強度の低下を招くため好ましくない。
【００３４】
各実施例においては、色収差を良好に補正するために、負レンズの材料のアッベ数が正レンズの材料のアッベ数よりも小さくなるように、樹脂レンズの材料を選択している。
【００３５】
各実施例において、第ｋレンズ群Ｌｋに含まれ、正の屈折力を有する樹脂レンズＬｋｐの材料のｄ線を基準とした屈折率をＮｄｋｐ、アッベ数をνｄｋｐとする。また、第ｋレンズ群Ｌｋに含まれ、負の屈折力を有する樹脂レンズＬｋｎの材料のｄ線を基準とした屈折率をＮｄｋｎ、アッベ数をνｄｋｎとするとき、
５０．０＜νｄｋｐ＜７０．０…（１）
１５．０＜νｄｋｎ＜３０．０…（２）
１．５００＜Ｎｄｋｐ＜１．７００…（３）
１．５００＜Ｎｄｋｎ＜１．７００…（４）
なる条件式を満足している。
【００３６】
第３レンズ群Ｌ３よりも像側に配置された第ｋレンズ群Ｌｋに、条件式（１）、（３）を満足する正レンズＬｋｐと、条件式（２）、（４）を満足する負レンズＬｋｎが含まれる。
【００３７】
ここで、アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００３８】
条件式（１）の下限を超えて、正の屈折力を有する樹脂レンズＬｋｐのｄ線を基準としたアッベ数νｄｋｐが小さくなると、望遠側において樹脂レンズＬｋｐで発生する軸上色収差や倍率色収差を十分に補正することが困難になるため好ましくない。
【００３９】
条件式（１）の上限を超えて、正の屈折力を有する樹脂レンズＬｋｐのｄ線を基準としたアッベ数νｄｋｐが大きくなると、条件式（３）の数値範囲を満足する範囲で実在する樹脂材料が限定されるため、好ましくない。
【００４０】
条件式（２）の下限を超えて、負の屈折力を有する樹脂レンズＬｋｎのｄ線を基準としたアッベ数νｄｋｎが小さくなると、条件式（４）の数値範囲を満足する範囲で実在する樹脂材料が限定されるため、好ましくない。
【００４１】
条件式（２）の上限を超えて、負の屈折力を有する樹脂レンズＬｋｎのｄ線を基準としたアッベ数νｄｋｎが大きくなると、望遠側において樹脂レンズＬｋｎで発生する軸上色収差や倍率色収差を十分に補正することが困難になるため好ましくない。
【００４２】
条件式（３）の下限を超えて、正の屈折力を有する樹脂レンズＬｋｐのｄ線を基準とした屈折率Ｎｄｋｐが低くなると、樹脂レンズＬｋｐの屈折力を維持するために、曲率を大きくする必要が生じる。その結果、環境変化による面形状の変化に対する敏感度が高くなり、球面収差やコマ収差等が発生しやすくなるため、好ましくない。
【００４３】
条件式（３）の上限を超えて、正の屈折力を有する樹脂レンズＬｋｐのｄ線を基準とした屈折率Ｎｄｋｐが高くなると、条件式（１）の数値範囲を満足する範囲で実在する樹脂材料が限定されるため、好ましくない。
【００４４】
条件式（４）の下限を超えて、負の屈折力を有する樹脂レンズＬｋｎのｄ線を基準とした屈折率Ｎｄｋｎが低くなると、樹脂レンズＬｋｎの屈折力を維持するために、曲率を大きくする必要が生じる。その結果、環境変化による面形状の変化に対する敏感度が高くなり、球面収差やコマ収差等が発生しやすくなるため、好ましくない。
【００４５】
条件式（４）の上限を超えて、負の屈折力を有する樹脂レンズＬｋｎのｄ線を基準とした屈折率Ｎｄｋｎが高くなると、条件式（２）の数値範囲を満足する範囲で実在する樹脂材料が限定されるため、好ましくない。
【００４６】
各実施例では以上説明したように、条件式（１）乃至（４）を満足するように各要素を適切に設定している。これにより軽量かつ高ズーム比で、全ズーム領域において高い光学性能を有するズームレンズを得ることができる。
【００４７】
なお、各実施例において、好ましくは、条件式（１）乃至（４）の数値範囲を次のように設定するのが良い。
５３．５＜νｄｋｐ＜５９．０…（１ａ）
２０．０＜νｄｋｎ＜２９．０…（２ａ）
１．５００＜Ｎｄｋｐ＜１．５９０…（３ａ）
１．５９０＜Ｎｄｋｎ＜１．６９０…（４ａ）
【００４８】
また、さらに好ましくは、条件式（１）乃至（４）の数値範囲を次のように設定するのが良い。
５４．０＜νｄｋｐ＜５８．５…（１ｂ）
２１．０＜νｄｋｎ＜２８．５…（２ｂ）
１．５０１＜Ｎｄｋｐ＜１．５６０…（３ｂ）
１．６００＜Ｎｄｋｎ＜１．６５０…（４ｂ）
【００４９】
さらに、各実施例において、次の条件式のうち１つ以上を満足することがより好ましい。
θｇＦｋｐ−（−１．６６７×１０−７×νｄｋｐ３＋５．２８０×１０−５×νｄｋｐ２−５．６２０×１０−３×νｄｋｐ＋０．７３７）＞０…（５）
θｇＦｋｎ−（−１．６６７×１０−７×νｄｋｎ３＋５．２８０×１０−５×νｄｋｎ２−５．６２０×１０−３×νｄｋｎ＋０．７３７）＞０…（６）
８．０＜ｆ１／ｆｗ＜５０．０…（７）
−０．１６０＜ｆ２／ｆｔ＜−０．０１０…（８）
０．１０＜｜ｆｐ／ｆｎ｜＜１０．０…（９）
５０．０＜νｄ４ｎ＜７０．０…（１０）
１．５００＜Ｎｄ４ｎ＜１．７００…（１１）
−３．００＜ｆ４／ｆ５＜−０．１０…（１２）
【００５０】
ここで、正の屈折力を有する樹脂レンズＬｋｐの材料の部分分散比をθｇＦｋｐ、負の屈折力を有する樹脂レンズＬｋｎの材料の部分分散比をθｇＦｋｎ、第１レンズ群Ｌ１の焦点距離をｆ１、第２レンズ群Ｌ２の焦点距離をｆ２とする。また、第４レンズ群Ｌ４の焦点距離をｆ４、第５レンズ群Ｌ５の焦点距離をｆ５、広角端における全系の焦点距離をｆｗ、望遠端における全系の焦点距離をｆｔとする。さらに、第４レンズ群Ｌ４に含まれる負レンズの材料のアッベ数をνｄ４ｎ、屈折率をＮｄ４ｎとする。また、正の屈折力を有する樹脂レンズＬｋｐの焦点距離をｆｐ、負の屈折力を有する樹脂レンズＬｋｎの焦点距離をｆｎとする。
【００５１】
図１２は、レンズの材料の光学特性を示す図（θｇＦ−νｄ図）である。縦軸は、部分分散比θｇＦを示し、横軸は、アッベ数νｄを示している。θｇＦ−νｄ図において、多くの材料は、ノーマルラインと呼ばれる直線に沿って分布することが知られている。なお、本発明において、ノーマルラインは、
θｇＦ＝−０．００１６８２×νｄ＋０．６４３８
なる式で表される。
【００５２】
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、
νｄ＝（Ｎｄ−１）／（ＮＦ−ＮＣ）
θｇＦ＝（Ｎｇ−ＮＦ）／（ＮＦ−ＮＣ）
で表される数値である。
【００５３】
一般に、各レンズ群において、軸上色収差や倍率色収差を良好に補正するためには、正レンズの材料と負レンズの材料を適切に選択することが重要である。
【００５４】
条件式（５）は、正の屈折力を有する樹脂レンズＬｋｐの部分分散比θｇＦｋｐを規定した条件式である。条件式（５）を満足する材料を用いて樹脂レンズＬｋｐを構成することで、望遠端における軸上色収差を良好に補正することができる。
【００５５】
条件式（６）は、負の屈折力を有する樹脂レンズＬｋｎの部分分散比θｇＦｋｎを規定した条件式である。条件式（６）を満足する材料を用いて樹脂レンズＬｋｎを構成することで、望遠端における倍率色収差を良好に補正することができる。
【００５６】
条件式（７）は、第１レンズ群Ｌ１の焦点距離ｆ１と、広角端における全系の焦点距離ｆｗの比を規定した条件式である。
【００５７】
条件式（７）の下限を超えて第１レンズ群Ｌ１の焦点距離ｆ１が短くなると、第１レンズ群Ｌ１の屈折力が強くなり過ぎる。その結果、望遠側において第１レンズ群Ｌ１で発生する色収差が増大するため、好ましくない。
【００５８】
条件式（７）の上限を超えて第１レンズ群Ｌ１の焦点距離ｆ１が長くなると、第１レンズ群Ｌ１の屈折力が弱くなり過ぎる。その結果、高倍化を実現するために、ズーミングにおける第１レンズ群Ｌ１の移動量を大きくする必要が生じ、レンズ全長が増大するため好ましくない。
【００５９】
条件式（８）は、第２レンズ群Ｌ２の焦点距離ｆ２と、望遠端における全系の焦点距離ｆｔの比を規定した条件式である。
【００６０】
条件式（８）の下限を超えて第２レンズ群Ｌ２の焦点距離ｆ２が長くなると、第２レンズ群Ｌ２の屈折力が弱くなり過ぎる。その結果、高倍化を実現することが困難になり、また、広角側において歪曲収差を十分に補正することが困難になるため、好ましくない。
【００６１】
条件式（８）の上限を超えて第２レンズ群Ｌ２の焦点距離ｆ２が短くなると、第２レンズ群Ｌ２の屈折力が強くなり過ぎる。その結果、広角側における倍率色収差やズーム全域における像面湾曲を十分に補正することが困難になるため、好ましくない。
【００６２】
条件式（９）は、正の屈折力を有する樹脂レンズＬｋｐの焦点距離ｆｐと、負の屈折力を有する樹脂レンズＬｋｎの焦点距離ｆｎの比を規定した条件式である。
【００６３】
条件式（９）の下限を超えて、正の屈折力を有する樹脂レンズＬｋｐの焦点距離ｆｐが短くなると、正の屈折力を有する樹脂レンズＬｋｐの屈折力が強くなり過ぎる。その結果、望遠端における倍率色収差が多く発生するため、好ましくない。
【００６４】
条件式（９）の上限を超えて、正の屈折力を有する樹脂レンズＬｋｐの焦点距離ｆｐが長くなると、正の屈折力を有する樹脂レンズＬｋｐの屈折力が弱くなり過ぎる。その結果、望遠端における軸上色収差が多く発生するため、好ましくない。
【００６５】
条件式（１０）は、第４レンズ群Ｌ４に含まれる負レンズの材料のアッベ数νｄ４ｎを規定した条件式である。
【００６６】
条件式（１０）の下限を超えて、第４レンズ群Ｌ４に含まれる負レンズの材料のアッベ数νｄ４ｎが小さくなると、色ずれが多く発生し、望遠端において軸上色収差や倍率色収差を良好に補正することが困難になるため、好ましくない。
【００６７】
条件式（１０）の上限を超えて、第４レンズ群Ｌ４に含まれる負レンズの材料のアッベ数νｄ４ｎが大きくなると、条件式（１１）の数値範囲を満足する範囲で実在する材料が限定されるため、好ましくない。
【００６８】
条件式（１１）は、第４レンズ群Ｌ４に含まれる負の屈折力の樹脂レンズの材料の屈折率Ｎｄ４ｎを規定した条件式である。
【００６９】
条件式（１１）の下限を超えて、第４レンズ群Ｌ４に含まれる負レンズの材料の屈折率Ｎｄ４ｎが低くなると、負の屈折力を保持するために、第４レンズ群Ｌ４に含まれる負レンズの曲率が小さくなる。その結果、レンズ面の変形に伴って、球面収差やコマ収差が多く発生するため、好ましくない。
【００７０】
条件式（１１）の上限を超えて、第４レンズ群Ｌ４に含まれる負レンズの材料の屈折率Ｎｄ４ｎが高くなると、条件式（１０）の数値範囲を満足する範囲で実在する材料が限定されるため、好ましくない。
【００７１】
条件式（１２）は、第４レンズ群Ｌ４の焦点距離ｆ４と、第５レンズ群Ｌ５の焦点距離ｆ５の比を規定した条件式である。
【００７２】
条件式（１２）の下限を超えて第４レンズ群Ｌ４の焦点距離ｆ４が長くなると、第４レンズ群Ｌ４の変倍分担が小さくなり、高倍化を実現することが困難になるため、好ましくない。
【００７３】
条件式（１２）の上限を超えて第４レンズ群Ｌ４の焦点距離ｆ４が短くなると、第４レンズ群Ｌ４の屈折力が強くなり過ぎる。その結果、第４レンズ群Ｌ４において色収差が多く発生するため好ましくない。
【００７４】
好ましくは、条件式（７）〜（１２）の数値範囲を次のように設定するのが良い。
９．０＜ｆ１／ｆｗ＜４０．０…（７ａ）
−０．１００＜ｆ２／ｆｔ＜−０．０２０…（８ａ）
０．１５＜｜ｆｐ／ｆｎ｜＜７．０…（９ａ）
５０．５＜νｄ４ｎ＜６５．０…（１０ａ）
１．５０１＜Ｎｄ４ｎ＜１．６４０…（１１ａ）
−２．００＜ｆ４／ｆ５＜−０．２０…（１２ａ）
【００７５】
なお、さらに好ましくは、条件式（７）〜（１２）の数値範囲を次のように設定するのが良い。
１０．０＜ｆ１／ｆｗ＜２０．０…（７ｂ）
−０．０６０＜ｆ２／ｆｔ＜−０．０３０…（８ｂ）
０．２０＜｜ｆｐ／ｆｎ｜＜５．０…（９ｂ）
５０．８＜νｄ４ｎ＜６０．０…（１０ｂ）
１．５０１＜Ｎｄ４ｎ＜１．５９０…（１１ｂ）
−１．８０＜ｆ４／ｆ５＜−０．２５…（１２ｂ）
【００７６】
続いて、各レンズ群の構成について説明する。
【００７７】
各実施例のズームレンズにおいて、第１レンズ群Ｌ１は、物体側から像側へ順に、負レンズ、正レンズ、正レンズから成る。正レンズと負レンズをそれぞれ１枚以上含むように第１レンズ群Ｌ１を構成することで、望遠端における色収差を良好に補正することができる。
【００７８】
各実施例のズームレンズにおいて、第２レンズ群Ｌ２は、物体側から像側へ順に、負レンズ、負レンズ、正レンズから成る。少なくとも２枚の負レンズと、正レンズを含むように第２レンズ群Ｌ２を構成することで、広角端における像面湾曲や倍率色収差を良好に補正することができる。
【００７９】
各実施例において、第３レンズ群Ｌ３は、物体側から像側へ順に、正レンズ、負レンズ、正レンズから成る。
【００８０】
実施例１乃至３、５のズームレンズにおいて、第４レンズ群Ｌ４は、１枚の負レンズから成る。実施例４のズームレンズにおいて、第４レンズ群Ｌ４は、物体側から像側へ順に、負レンズ、正レンズから成る。１枚の正レンズと１枚の負レンズにより第４レンズ群Ｌ４を構成することで、レンズ枚数を増やすことなく、第４レンズ群Ｌ４において発生する色収差を良好に補正することができる。
【００８１】
実施例１及び２のズームレンズにおいて、第５レンズ群Ｌ５は、物体側から像側へ順に、正レンズ、負レンズから成る。実施例３のズームレンズにおいて、第５レンズ群Ｌ５は、物体側から像側へ順に、正レンズ、負レンズ、正レンズから成る。実施例４及び５のズームレンズにおいて、第５レンズ群Ｌ５は、１枚の正レンズから成る。
【００８２】
実施例５のズームレンズにおいて、第６レンズ群Ｌ６は、物体側から像側へ順に、正レンズ、負レンズから成る。
【００８３】
実施例１乃至３、５のズームレンズでは、最も像側に配置されたレンズ群に正の屈折力の樹脂レンズＬｋｐと負の屈折力の樹脂レンズＬｋｎが含まれる。実施例４のズームレンズでは、第４レンズ群Ｌ４に、正の屈折力の樹脂レンズＬｋｐと負の屈折力の樹脂レンズＬｋｎが含まれる。
【００８４】
次に、本発明の実施例１から５にそれぞれ対応する数値実施例１から５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００８５】
またＫを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ４ｈ４＋Ａ６ｈ６＋Ａ８ｈ８
で表示される。但しＲは近軸曲率半径である。また「ｅ−Ｚ」の表示は「１０−Ｚ」を意味する。
【００８６】
各実施例において、バックフォーカス（ＢＦ）は、レンズ系の最も像側の面から像面までの距離を、空気換算長により表したものである。また、各数値実施例における上述した条件式との対応を表１に示す。
【００８７】
なお、広角端における有効像円径（イメージサークルの直径）を、望遠端における有効像円径に比べて小さくすることができる。これは、画像処理によって画像を引き伸ばすことで、広角側において発生しやすい樽型の歪曲収差を補正することができるためである。
【００８８】
［数値実施例１］
単位 mm
面データ
面番号       r        d      nd         νd
1        100.543    1.20   1.83400    37.2
2         43.687    4.80   1.49700    81.5
3       -155.022    0.05
4         36.166    3.20   1.48749    70.2
5        111.778  (可変)
6        115.313    0.60   1.83481    42.7
7          7.831    4.60
8        -20.973    0.50   1.80400    46.6
9         49.086    0.05
10         19.082    1.93   1.94595    18.0
11        323.647  (可変)
12(絞り)    ∞     (可変)
13*         8.214    2.75   1.49710    81.6
14*       -34.396    2.57
15         27.277    0.40   1.80610    33.3
16          9.043    0.80
17*        18.412    2.80   1.49710    81.6
18*       -29.358    0.00
19          ∞     (可変)
20        -27.105    0.40   1.53530    55.8
21        352.039  (可変)
22*        21.231    2.90   1.53530    55.8
23        -20.867    0.30
24        -19.563    0.50   1.63540    23.9
25        -42.474  (可変)
26          ∞       1.00   1.51633    64.1
27          ∞       1.00
像面        ∞
非球面データ
第13面
K =-2.78153e-001  A 4= 7.75604e-005  A 6=-2.31923e-006  A 8=-1.80735e-007
第14面
K = 0.00000e+000  A 4= 4.24106e-004  A 6=-1.52221e-005
第17面
K = 0.00000e+000  A 4= 3.31324e-004  A 6=-2.90683e-005
第18面
K = 0.00000e+000  A 4= 2.30418e-004  A 6=-1.18668e-005
第22面
K = 0.00000e+000  A 4= 6.14253e-006  A 6= 1.16505e-007
各種データ
ズーム比     43.24
焦点距離       4.37    12.09   188.94
Fナンバー      2.67     3.38     6.08
半画角        37.01    17.77     1.17
像高           3.29     3.88     3.88
レンズ全長    86.75    85.52   126.08
BF             6.22    13.29     4.01
d 5            0.65    14.15    58.40
d11           33.52     5.82     0.62
d12            7.96    11.26     0.77
d19            3.41     3.48     6.82
d21            4.66     7.17    25.11
d25            4.56    11.63     2.35
ズームレンズ群データ
群  始面    焦点距離
1    1      76.84
2    6      -9.14
3   13      16.52
4   20     -47.00
5   22      30.18
【００８９】
［数値実施例２］
単位 mm
面データ
面番号       r        d      nd         νd
1         50.074    0.90   1.91082    35.3
2         26.329    4.00   1.49700    81.6
3     -66737.393    0.05
4         26.869    3.25   1.59282    68.6
5        182.166  (可変)
6        104.351    0.40   1.83481    42.7
7          6.031    3.62
8        -17.501    0.35   1.83481    42.7
9         30.358    0.05
10         14.338    1.60   1.95906    17.5
11        149.764  (可変)
12*         7.165    1.94   1.49710    81.6
13*       230.856    1.65
14(絞り)    ∞       0.65
15          7.772    0.40   2.00069    25.5
16          5.903    0.60
17*        11.002    1.83   1.49710    81.6
18*       -33.857    0.00
19          ∞     (可変)
20*       -14.637    0.50   1.55624    51.0
21         20.021  (可変)
22*        16.622    4.20   1.50200    58.0
23         -9.758    0.20
24         -8.871    0.50   1.61000    28.0
25        -13.189  (可変)
26          ∞       1.00   1.51633    64.1
27          ∞       1.00
像面        ∞
非球面データ
第12面
K =-7.16273e-001  A 4=-1.53471e-004  A 6= 1.74966e-005  A 8= 4.69757e-007
第13面
K =-1.52417e+004  A 4=-2.33725e-004  A 6= 3.56175e-005
第17面
K =-1.24423e+001  A 4= 8.67991e-004  A 6= 3.17416e-005
第18面
K =-7.76547e+001  A 4=-2.02924e-004  A 6= 4.85483e-005
第20面
K =-5.23051e-001  A 4=-7.19566e-005  A 6= 6.91265e-006
第22面
K = 4.33555e+000  A 4=-1.12432e-004  A 6=-2.24135e-006
各種データ
ズーム比     37.30
焦点距離       4.49    14.00   167.49
Fナンバー      3.25     4.43     7.10
半画角        36.26    15.47     1.33
像高           3.29     3.88     3.88
レンズ全長    67.24    72.05    92.94
BF             8.21    17.07     4.22
d 5            0.29    11.39    33.62
d11           26.82    10.39     0.56
d19            2.62     3.07     6.74
d21            2.61     3.43    21.11
d25            6.55    15.41     2.56
ズームレンズ群データ
群  始面    焦点距離
1    1      46.97
2    6      -6.64
3   12      12.11
4   20     -15.12
5   22      17.60
【００９０】
［数値実施例３］
単位 mm
面データ
面番号       r        d      nd         νd
1        101.105    1.20   1.83400    37.2
2         43.926    4.80   1.49700    81.5
3       -155.810    0.05
4         36.264    3.20   1.48749    70.2
5        110.572  (可変)
6        210.583    0.60   1.83481    42.7
7          7.859    4.40
8        -20.576    0.50   1.80400    46.6
9         56.048    0.05
10         19.337    1.93   1.94595    18.0
11        351.895  (可変)
12(絞り)     ∞    (可変)
13*         8.865    2.75   1.49710    81.6
14*       -39.282    2.57
15         25.521    0.40   1.80610    33.3
16          9.249    0.80
17*        16.149    2.80   1.49710    81.6
18*       -20.284    0.00
19          ∞     (可変)
20        -31.957    0.40   1.50200    58.0
21         22.373  (可変)
22         18.688    2.20   1.53160    55.8
23        -42.690    0.30
24        -30.447    0.50   1.60737    27.0
25       3846.825    0.20
26         98.915    1.20   1.48749    70.2
27        -32.207  (可変)
28          ∞       1.00   1.51633    64.1
29          ∞       1.00
像面        ∞
非球面データ
第13面
K =-2.78153e-001  A 4= 3.58043e-006  A 6=-5.74597e-007  A 8=-9.47184e-008
第14面
K = 0.00000e+000  A 4= 2.18540e-004  A 6=-6.62032e-006
第17面
K = 0.00000e+000  A 4= 3.24109e-005  A 6=-1.82397e-005
第18面
K = 0.00000e+000  A 4= 2.68288e-005  A 6=-1.08004e-005
各種データ
ズーム比     42.81
焦点距離       4.41    11.82   188.70
Fナンバー      2.88     3.64     6.08
半画角        36.77    18.16     1.18
像高           3.29     3.88     3.88
レンズ全長    86.41    84.89   124.98
BF             7.70    13.67     3.44
d 5            0.65    14.21    58.67
d11           29.76     5.71     0.69
d12           10.62    11.22     0.71
d19            3.00     4.51    10.26
d21            3.83     4.72    20.37
d27            6.04    12.02     1.78
ズームレンズ群データ
群  始面    焦点距離
1    1      77.44
2    6      -9.01
3   13      15.55
4   20     -26.15
5   22      25.12
【００９１】
［数値実施例４］
単位 mm
面データ
面番号       r        d      nd         νd
1        100.857    1.20   1.83400    37.2
2         43.839    4.70   1.49700    81.5
3       -153.423    0.05
4         36.322    3.05   1.48749    70.2
5        111.139  (可変)
6        422.344    0.60   1.83481    42.7
7          7.799    4.40
8        -20.250    0.50   1.80400    46.6
9         49.961    0.05
10         19.470    1.93   1.94595    18.0
11        568.694  (可変)
12(絞り)      ∞   (可変)
13*         8.521    2.75   1.49710    81.6
14*       -40.517    2.57
15         25.688    0.40   1.83481    42.7
16          9.017    0.60
17*        15.243    2.80   1.49710    81.6
18*       -23.049    0.50
19          ∞     (可変)
20        -24.911    0.40   1.60737    27.0
21         26.950    0.20
22         31.107    0.80   1.53160    55.8
23        114.671  (可変)
24*        17.895    2.90   1.53160    55.8
25        -43.600  (可変)
26          ∞       1.00   1.51633    64.1
27          ∞       1.00
像面        ∞
非球面データ
第13面
K =-2.78153e-001  A 4= 1.65829e-005  A 6=-2.48705e-006  A 8=-1.05222e-007
第14面
K = 0.00000e+000  A 4= 2.74395e-004  A 6=-1.01879e-005
第17面
K = 0.00000e+000  A 4= 1.44799e-004  A 6=-1.52215e-005
第18面
K = 0.00000e+000  A 4= 8.40564e-005  A 6=-5.58969e-006
第24面
K = 0.00000e+000  A 4=-1.78822e-005  A 6= 1.53993e-007
各種データ
ズーム比     42.98
焦点距離       4.38    10.93   188.09
Fナンバー      3.58     4.13     6.28
半画角        35.98    19.51     1.18
像高           3.18     3.88     3.88
レンズ全長    86.66    85.39   125.88
BF             6.33    13.70     6.68
d 5            0.65    14.54    59.59
d11           29.76     6.71     1.05
d12           10.89    11.26     0.35
d19            4.00     4.50    10.42
d23            4.64     4.29    17.40
d25            4.67    12.04     5.02
ズームレンズ群データ
群  始面    焦点距離
1    1      77.16
2    6      -8.60
3   13      15.90
4   20     -29.00
5   24      24.26
【００９２】
［数値実施例５］
単位 mm
面データ
面番号       r        d      nd         νd
1         99.904    1.20   1.83400    37.2
2         43.685    5.20   1.49700    81.5
3       -148.399    0.05
4         36.292    3.40   1.48749    70.2
5        112.594  (可変)
6        305.621    0.60   1.83481    42.7
7          7.797    4.40
8        -19.977    0.50   1.80400    46.6
9         49.748    0.05
10         19.389    1.93   1.94595    18.0
11        329.425  (可変)
12(絞り)    ∞     (可変)
13*         8.821    2.75   1.49710    81.6
14*       -34.109    2.57
15         25.932    0.40   1.80610    33.3
16          9.215    0.60
17*        15.419    2.80   1.49710    81.6
18*       -20.481    0.00
19          ∞     (可変)
20        -18.008    0.40   1.53480    55.7
21         22.324  (可変)
22         24.570    1.00   1.90366    31.3
23         44.064  (可変)
24*        20.783    2.90   1.53160    55.8
25        -13.545    0.30
26        -13.276    0.50   1.63540    23.9
27        -31.868  (可変)
28          ∞       1.00   1.51633    64.1
29          ∞       1.00
像面        ∞
非球面データ
第13面
K =-2.78153e-001  A 4=-5.03877e-006  A 6=-2.10411e-006  A 8=-9.22740e-008
第14面
K = 0.00000e+000  A 4= 2.60464e-004  A 6=-8.61164e-006
第17面
K = 0.00000e+000  A 4= 2.15241e-004  A 6=-9.46935e-006
第18面
K = 0.00000e+000  A 4= 1.50934e-004  A 6=-2.17869e-006
第24面
K = 0.00000e+000  A 4=-6.15845e-006  A 6= 6.46551e-008
各種データ
ズーム比     45.11
焦点距離       4.43    11.15   200.00
Fナンバー      2.98     3.60     6.08
半画角        36.61    19.17     1.11
像高           3.29     3.88     3.88
レンズ全長    86.83    85.85   126.85
BF             4.72    13.02     3.82
d 5            0.65    13.86    57.78
d11           29.76     7.33     1.05
d12           10.31    10.38     0.35
d19            4.10     3.98     9.10
d21            0.91     0.99     3.94
d23            4.83     4.74    19.26
d27            3.06    11.37     2.16
ズームレンズ群データ
群  始面    焦点距離
1    1      75.76
2    6      -8.47
3   13      14.99
4   20     -18.57
5   22      60.00
6   24      27.19
【００９３】
【表１】
0006544915.tif 000002
【００９４】
次に、各実施例に示したようなズームレンズを撮影光学系として用いたデジタルスチルカメラの実施形態について、図１２を用いて説明する。
【００９５】
図１２において、２０はカメラ本体、２１は実施例１から５で説明した、いずれかのズームレンズによって構成された撮影光学系である。２２はカメラ本体に内蔵され、撮影光学系２１によって形成された被写体像を受光するＣＣＤセンサやＣＭＯＳセンサ等の撮像素子（光電変換素子）である。２３は固体撮像素子２２によって光電変換された被写体像に対応する情報を記録するメモリである。２４は液晶ディスプレイパネル等によって構成され、撮像素子２２上に形成された被写体像を観察するためのファインダである。
【００９６】
このように本発明のズームレンズをデジタルスチルカメラ等の撮像装置に適用することにより、軽量かつ高ズーム比で、全ズーム領域において高い光学性能を有する撮像装置を得ることができる。
【符号の説明】
【００９７】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＳＰ  絞り
Ｇ  ガラスブロック
ＩＰ  像面
【図１】
0006544915.tif 000003
【図２】
0006544915.tif 000004
【図３】
0006544915.tif 000005
【図４】
0006544915.tif 000006
【図５】
0006544915.tif 000007
【図６】
0006544915.tif 000008
【図７】
0006544915.tif 000009
【図８】
0006544915.tif 000010
【図９】
0006544915.tif 000011
【図１０】
0006544915.tif 000012
【図１１】
0006544915.tif 000013
【図１２】
0006544915.tif 000014